(57)【特許請求の範囲】
【請求項１】
電動機におけるステータコア（６）の周囲に設けられた巻線部（７）に温度検出素子（９）を固定する固定具であって、
前記ステータコア（６）と前記巻線部（７）との間の隙間（Ｅ）に挿入されるべき本体（１１、２１）と、
前記本体の一側面（１１ａ、２１ａ）における前記本体の一端（１１ｂ、２１ｂ）側に形成され、前記巻線部（７）の開口縁部に係止する係止部（１３）と、を備え、
さらに前記本体の一側面（１１ａ、２１ａ）には、前記温度検出素子（９）の感温部（９ａ）を収容する凹部（１２）が形成されており、
前記凹部（１２）の深さ（Ｂ）は、前記温度検出素子（９）の感温部（９ａ）における最大厚み（Ａ）よりも小さいようにした、固定具。
【請求項２】
前記本体の他端（１１ｃ、２１ｃ）には、前記温度検出素子（９）のリード線（９ｂ）を前記凹部（１２）から前記他端に通過させるための穴（１４）が形成されている、請求項１に記載の固定具。
【請求項３】
前記穴（１４）の寸法が前記感温部（９ａ）よりも小さくされている、請求項２に記載の固定具。
【請求項４】
前記係止部（１３）から延びていて、前記一側面（２１ａ）と対面する位置に配置された板状部材（１５）をさらに備えた、請求項１から３のいずれか一項に記載の固定具。
【請求項５】
ステータコア（６）と、該ステータコアの周囲に設けられた巻線部（７）と、感温部（９ａ）とこれに電気接続されたリード線（９ｂ）とを有する温度検出素子（９）と、請求項１から４のいずれか一項に記載の固定具と、を備えた電動機であって、
前記凹部（１２）に前記感温部（９ａ）が収容され、前記隙間（Ｅ）に前記本体（１１、２１）が前記一端（１１ｂ、２１ｂ）を後端として挿入され、前記巻線部（７）の開口縁部に前記係止部（１３）が係止され、かつ、前記巻線部（７）の内側面に前記感温部（９ａ）が密着しているようにした、電動機。
【請求項６】
前記ステータコア（６）の周辺部が樹脂成形により作製されている、請求項５に記載の電動機。
【請求項７】
ステータコア（６）と、該ステータコアの周囲に設けられた巻線部（７）と、感温部（９ａ）とこれに電気接続されたリード線（９ｂ）とを有する温度検出素子（９）と、を備えた電動機において、固定具により前記巻線部（７）に前記温度検出素子（９）を固定する方法であって、
前記固定具は、
前記ステータコア（６）と前記巻線部（７）との間の隙間（Ｅ）に挿入されるべき本体（１１、２１）と、
前記本体の一側面（１１ａ、２１ａ）における前記本体の一端（１１ｂ、２１ｂ）側に形成され、前記巻線部（７）の開口縁部に係止する係止部（１３）と、を備え、
さらに前記本体の一側面（１１ａ、２１ａ）には、前記温度検出素子（９）の感温部（９ａ）を収容する凹部（１２）が形成されており、
前記凹部（１２）の深さ（Ｂ）は、前記温度検出素子（９）の感温部（９ａ）における最大厚み（Ａ）よりも小さいようにしており、
前記感温部（９ａ）を前記凹部（１２）に収容し、
前記感温部（９ａ）を収容した前記本体（１１、２１）を前記隙間（Ｅ）に、前記一端（１１ｂ、２１ｂ）を後端として挿入するとともに、前記一側面（１１ａ、２１ａ）が前記巻線部（７）の内側面に向くように挿入し、
前記係止部（１３）を前記巻線部（７）の開口縁部に係止する、電動機における温度検出素子の固定方法。
【発明の詳細な説明】
【技術分野】
【０００１】
本発明は、温度検出素子の固定具およびその固定方法に関する。特に、本発明は、電動機内のステータコアに巻回された巻線部（マグネットワイヤ部）に温度検出素子を固定する固定具、該固定具を備えた電動機、および、電動機における温度検出素子の固定方法に関する。
【背景技術】
【０００２】
図９は一般的な電動機の内部構成を概略的に示している。一般的な電動機１は、軸２を中心に回転するロータ３と、ロータ３に対して磁気回転力を与えるステータ４とを備える。ステータ４の内周面には、複数の凸部４ａがロータ３の円周方向に間欠的に形成されている。凸部４ａの周囲には銅製ワイヤ（導線）５が巻回されており、銅製ワイヤ５は絶縁被膜（不図示）により被覆されている。また、図９に示した電動機１は回転動作を発生させるものであるが、直線動作を発生させる電動機、いわゆるリニアモータもよく知られている。リニアモータのステータとしては、一直線に延ばした磁性板上に複数の凸部を当該磁性板の延在方向に間欠的に形成し、凸部の周りに銅製ワイヤを巻回したものが使用される。
以下では、上記の凸部周りに巻回されたワイヤからなる部分を巻線部と称することとする。また、その凸部についてはステータコアと呼ぶ場合がある。
【０００３】
上述したような電動機の巻線部では、銅損や鉄損等の要因により熱が発生する。電動機に高負荷が要求される場合、巻線部に大電流を流す必要があり、したがって、巻線部は急激に発熱する。巻線部の温度が既定の温度を超えると、銅製ワイヤの絶縁被膜が溶融または焼損してしまう場合がある。この場合、絶縁被膜から露出した銅が近隣の導体と接触して電気ショートを起こす虞がある。そこで、こうした不具合の発生を防止するため、巻線部に温度検出素子を固定し、巻線部が既定の温度を超えたことを迅速に且つ精確に検出する必要がある。巻線部に温度検出素子を固定する方法としては、次のような従来例が用いられていた。
【０００４】
図１０Ａ、図１０Ｂは巻線部に温度検出素子を固定する方法の第１の従来例を示している。図１０Ａはリニアモータのステータを部分的に示す側面図、図１０Ｂは図１０Ａに示したステータの底面図である。
第１の従来例によれば、図１０Ａ、図１０Ｂに示すように、任意のステータコア６周りに在る巻線部７の外面に接着剤８によって温度検出素子９の感温部を固定する。
【０００５】
図１１はステータの側面図によって第２の従来例を示している。
第２の従来例によれば、図１１に示すように、巻線部７の外面に温度検出素子９の感温部を配置する。そして、巻線部７とステータコア６との間の隙間に紐１０を通しながら巻線部４の一側部に紐を巻付けることにより、紐１０と巻線部４との間に温度検出素子９の感温部を挟んで固定する。
【０００６】
さらに、特許文献１は、巻線部に温度検出素子を固定する他の方法を開示している。
特許文献１に記載の方法では、一端部が開口するように切欠が形成されたガイドを用意し、ガイドをステータコアと巻線部のコイルエンドとの間の隙間に挿入する。ガイドの他端部が挿入方向の先頭となり、当該他端部には弾性変形可能な引っ掛かり部が設けられている。その引っ掛かり部を変形させて隙間にガイドを挿入し、ガイドの他端部を隙間から出すと、引っ掛かり部が巻線部の開口縁部に引っ掛かり、ガイドが固定される。次に、ガイドの一端部の開口から切欠内に温度検出素子の感温部を挿入して、感温部を巻線部の内側面に接触させる。また、温度検出素子が収容されるべき切欠の底部にばね性を有する構造を形成し、これにより、温度検出素子の感温部を巻線部の内側面に強く押圧している。
【先行技術文献】
【特許文献】
【０００７】
【特許文献１】特開２００３−９２８５８号公報
【発明の概要】
【発明が解決しようとする課題】
【０００８】
しかし、上述した第１の従来例では、巻線部７の外面に温度検出素子９の感温部を接着してから接着剤が完全に硬化するまでに、温度検出素子９の位置がずれてしまうことがある。これにより、巻線部７の測定を望む箇所とは別の箇所に温度検出素子９の感温部が固定されてしまい、想定していた温度検出精度を得られないという問題が発生する。
【０００９】
一方、上述した第２の従来例では、巻線部４の一側部に紐を巻付けて温度検出素子９の感温部を固定するため、その固定は容易ではなく、多くの作業工数が必要となる。さらに、巻線部７の測定を望む箇所に温度検出素子９の感温部を正確に固定するためには、ある程度の熟練を必要とする。
【００１０】
また、第１の従来例のように接着剤を使用した固定方法では、接着剤が完全に硬化した後に温度検出素子の位置を修正することは困難である。一方、第２の従来例のように紐を使用した固定方法では、温度検出素子の位置を修正することは可能であるが、その修正には多くの手間と時間を要する。紐を解いて温度検出素子の位置を調整し、再び紐を結ぶといった作業が生じるからである。
【００１１】
また、特許文献１に記載されるような他の従来例では、温度検出素子の感温部を巻線部の内側面に接触させるため、巻線部の内側面の形状、例えば曲率に合わせて、ガイドおよび感温部の外側面の形状を設計する必要がある。つまり、巻線部の内側面にガイドおよび感温部の各外側面を密着させる方法が採用されている。このため、ステータコアとコイルエンドとの間隙にガイドおよび温度検出素子を挿入した後において、ステータコアと巻線部のコイルエンドとの間の隙間からガイドを取外すことは簡単ではない。
さらに、特許文献１においては、挿入方向の先頭となるガイドの他端部に引っ掛かり部を設け、これを隙間から出して巻線部の開口縁部に引っ掛けている。このため、隙間からガイドを取外す際に引っ掛かり部を変形させる作業が必要となる。
したがって、特許文献１に記載される方法もまた、巻線部の内側面に対して温度検出素子の感温部の位置を固定または調整することは容易でない。
【００１２】
そこで本発明は、上述した問題に鑑みてなされたものであり、電動機のステータにおける巻線部に対して温度検出素子の位置を容易に且つ正確に固定および調整することが可能な固定具、そのような固定具を備えた電動機、および、温度検出素子の固定方法を提供することを目的とする。
【課題を解決するための手段】
【００１３】
本発明の第一の態様によれば、電動機におけるステータコアの周囲に設けられた巻線部に温度検出素子を固定する固定具であって、ステータコアと巻線部との間の隙間に挿入されるべき本体と、本体の一側面における該本体の一端側に形成され、巻線部の開口縁部に係止する係止部と、を備える固定具が提供される。さらに、第一の態様の固定具では、さらに本体の一側面に温度検出素子の感温部を収容する凹部が形成されている。そして、凹部の深さは、温度検出素子の感温部における最大厚みよりも小さいことを特徴とする。この第一の態様により上述の課題が解決される。しかし、本発明は、第一の態様に限られず、以下の第二ないし第七の態様のいずれかを提供することもできる。
【００１４】
本発明の第二の態様によれば、第一の態様の固定具であって、本体の他端に温度検出素子のリード線を凹部から該他端に通過させるための穴が形成されている、固定具が提供される。
【００１５】
本発明の第三の態様によれば、第一または第二の態様の固定具であって、穴の寸法が感温部よりも小さい固定具が提供される。
【００１６】
本発明の第四の態様によれば、第一から第三の態様のいずれかの固定具であって、突起から延びていて、一側面と対面する位置に配置された板状部材をさらに備えた、固定具が提供される。
【００１７】
本発明の第五の態様によれば、ステータコアと、該ステータコアの周囲に設けられた巻線部と、感温部とリード線とを有する温度検出素子と、第一から第四の態様のいずれかの固定具と、を備えた電動機が提供される。さらに、第五の態様の電動機によれば、凹部に感温部が収容され、隙間に本体が該本体の一端を後端として挿入され、巻線部の開口縁部に係止部が係止され、かつ、巻線部の内側面に感温部が密着しているようにした、電動機が提供される。
【００１８】
本発明の第六の態様によれば、第五の態様の電動機において、ステータコアの周辺部が樹脂成形により作製されている、電動機が提供される。
【００１９】
本発明の第七の態様によれば、ステータコアと、該ステータコアの周囲に設けられた巻線部と、感温部とこれに電気接続されたリード線とを有する温度検出素子と、を備えた電動機において、固定具により巻線部に温度検出素子を固定する方法が提供される。特に、この方法は、固定具として、上記第一の態様の固定具を用意する。そして、感温部を固定具の凹部に収容し、本体を隙間に、一端を後端として挿入するとともに、一側面が巻線部の内側面に向くように挿入し、さらに、係止部を巻線部の開口縁部に係止すること含む、電動機における温度検出素子の固定方法が提供される。
【発明の効果】
【００２０】
本発明の第一、第五、および第七の態様によれば、固定具の本体の一側面に温度検出素子の感温部を収容する凹部を形成し、凹部の深さを、温度検出素子の感温部における最大厚みよりも小さくしている。このため、凹部に収容された感温部の外面は本体の一側面よりも突出した状態となる。したがって、ステータコアと巻線部との間の隙間に固定具の本体を、該本体の一側面が巻線部の内側面に向くように挿入すると、巻線部の内側面に感温部が密着する。こうした単純な作業により、感温部を巻線部の内側面に接触させられるので、巻線部に対して温度検出素子の位置を容易に固定および調整することができる。
さらに、上記の隙間に固定具の本体を挿入していくと、巻線部の開口縁部に係止部が係止されるので、巻線部に対して温度検出素子の位置を正確に固定することができる。
【００２１】
本発明の第二の態様によれば、固定具の本体の凹部に収容された温度検出素子の感温部から延びるリード線を、凹部から穴に通して固定具本体の外側へ引出すことができる。
【００２２】
本発明の第三の態様によれば、第二の態様の固定具において、リード線を通過させている穴の寸法が感温部よりも小さい。このため、リード線を引っ張ったとしても、感温部は穴から固定具本体の外側へ脱落しない。
【００２３】
本発明の第四の態様によれば、固定具の本体を上記の隙間に挿入した際、巻線部の開口縁部に係止部が係止されるとともに、本体の一側面と板状部材とによって巻線部が挟持される。このため、本体の一側面よりも突出している感温部の外面を巻線部の内側面に接触させ、且つ、感温部と巻線部との密着性を高めることができる。
【００２４】
本発明の第六の態様によれば、ステータコアの周辺部が樹脂成形により作製されている電動機に上記態様の固定具を使用することにより、温度検出素子の感温部を巻線部の内側面に確実に接触させることができる。すなわち、本発明による固定具は、感温部を固定具の本体の一側面より突出させる手段として、ばね性を有する板状部材を本体の凹部の底面部に備えていない。したがって、ステータの一部を樹脂成形により作製する場合、高温の樹脂の熱によって上記の板状部材が変形するという問題は発生しない。このため、感温部が巻線部の内側面に確実に接触している樹脂成形製電動機を得ることができる。
【００２５】
添付図面に示される本発明の典型的な実施形態の詳細な説明から、本発明のこれらの目的、特徴および利点ならびに他の目的、特徴および利点がさらに明確になるであろう。
【図面の簡単な説明】
【００２６】
【図１】本発明の一実施形態による電動機のステータを部分的に示す側面図である。
【図２】図１の線Ａ−Ａ’に沿って見た断面図である。
【図３Ａ】本実施形態の固定具に温度検出素子を収容した状態の正面図である。
【図３Ｂ】図３Ａに示される温度検出素子および固定具の側面図である。
【図４Ａ】本実施形態の温度検出素子の正面図である。
【図４Ｂ】図４Ａに示した温度検出素子をリード線先端側から見た底面図である。
【図５Ａ】本実施形態の固定具の正面図である。
【図５Ｂ】図５Ａに示される固定具の側面図である。
【図５Ｃ】図５Ａに示される固定具の裏面図である。
【図５Ｄ】図５Ａに示される固定具の底面図である。
【図６Ａ】本実施形態の固定具を巻線部に取付ける第１の工程を示した図である。
【図６Ｂ】本実施形態の固定具を巻線部に取付ける第２の工程を示した図である。
【図７Ａ】その他の実施形態の固定具を示す正面図である。
【図７Ｂ】図７Ａに示される固定具の右側面図である。
【図７Ｃ】図７Ａに示される固定具の底面図である。
【図８】その他の実施形態の固定具を温度検出素子とともに巻線部に取付けた状態を示した図である。
【図９】一般的な電動機の内部構成を概略的に示した図である。
【図１０Ａ】巻線部に温度検出素子を固定する方法の第１の従来例を示す側面図である。
【図１０Ｂ】巻線部に温度検出素子を固定する方法の第１の従来例を示す底面図である。
【図１１】巻線部に温度検出素子を固定する方法の第２の従来例を示す側面図である。
【発明を実施するための形態】
【００２７】
次に、本発明の実施形態について図面を参照して説明する。以下の図面において、同様の部材には同様の参照符号が付けられている。理解を容易にするために、これらの図面は縮尺を適宜変更している。以下では、リニアモータのステータを例にして本発明を説明するが、本発明はこれに限定されるものではない。また、以下では図１０Ａ、図１０Ｂ、および図１１に示した従来の構成要素と同じものには同一の符号を使用して説明することとする。
【００２８】
図１は本発明の一実施形態による電動機のステータを部分的に示す側面図、図２は図１の線Ａ−Ａ’に沿って見た断面図である。
本実施形態のステータは、図１に示すように、一直線に延ばした磁性板上に複数の凸部、すなわちステータコア６を当該磁性板の延在方向に間欠的に形成したものである。ステータコア６には巻線部７が形成されている。巻線部７はステータコア６周りに巻回された銅製ワイヤ（導線）からなる部分であり、銅製ワイヤは絶縁被膜（不図示）により被覆されている。このように構成されたステータは、直線動作を発生させる電動機、いわゆるリニアモータに採用される。勿論、本実施形態のステータを円筒形状に湾曲させることにより、回転トルクを発生させる電動機のステータとして適用できる。
【００２９】
巻線部７の温度を測定するために、ステータコア６と巻線部７（より好ましくは巻線部７のコイルエンド）との間の隙間に温度検出素子９が挿入されている。さらに、その隙間に挿入された温度検出素子９の感温部が巻線部７の一側面に接触した状態および位置を保てるように、温度検出素子９を固定するための固定具１１が使用されている。
【００３０】
ここで、温度検出素子９および固定具１１の構成について詳述する。
図３Ａは固定具１１に温度検出素子９を収容した態様の正面図、図３Ｂは図３Ａに示される温度検出素子９および固定具１１の側面図である。図４Ａは温度検出素子９の正面図、図４Ｂは図４Ａに示した温度検出素子９をリード線先端側から見た底面図である。また、図５Ａは固定具１１の正面図、図５Ｂは図５Ａに示される固定具１１の側面図、図５Ｃは図５Ａに示される固定具１１の裏面図、図５Ｄは図５Ａに示される固定具１１の底面図である。
【００３１】
本実施形態の温度検出素子９は熱電対である。図４Ａおよび図４Ｂから分かるように、温度検出素子９は、温度測定を望む箇所に設置されるべき感温部９ａと、感温部９ａに電圧を印加するための一体化された２本のリード線９ｂと、を備えている。
【００３２】
図５Ａ〜図５Ｄを参照すると、本実施形態の固定具１１は略直方体形状の本体を実質的に有している。固定具１１の一側面１１ａには、温度検出素子９を収容する凹部１２が形成されている。凹部１２は固定具１１の一端１１ｂの近傍から他端１１ｃの近傍まで延在している。
一側面１１ａから凹部１２の底面１２ａまでの深さＢは、温度検出素子９の感温部９ａの厚みＡ（図４Ａ参照）よりも小さい。このように凹部１２の深さを規定しているので、図３Ａおよび図３Ｂに示すように凹部１２内に感温部９ａを収容すると、感温部９ａの外面の一部が固定具１１の一側面１１ａよりも突出する。なお、本実施形態の感温部９ａは実質的に球形状からなるものとするが、凹部１２内への収容時に固定具１１の一側面１１ａよりも突出するならば、球形状に限定されない。
【００３３】
さらに、固定具１１の一側面１１ａから板状の突起１３が一端１１ｂに沿って突出している。この突起１３は、図２に示したように固定具１１をステータコア６と巻線部７との間の隙間に挿入した際に巻線部７の開口縁部に係止する係止部として設けられている。なお、突起１３は、固定具１１の本体とは別の部材を使って設けられていてもよい。
【００３４】
さらに、固定具１１の他端１１ｃには、凹部１２の空間に連通する穴１４が形成されている。凹部１２内に温度検出素子９を収容した際、温度検出素子９のリード線９ｂを穴１４に通して固定具１１の外側に引出すことができる。
本実施形態の穴１４は矩形に形成されており、その短手方向の寸法Ｃは温度検出素子９の感温部９ａの厚みＡ（図４Ａ参照）よりも小さいことが好ましい。これにより、凹部１２内に収容された温度検出素子９の感温部９ａがリード線９ｂの延びる方向に移動させられても、感温部９ａは穴１４から固定具１１の外側へ脱落しなくなる。
【００３５】
次に、図１〜図６Ａおよび図６Ｂを参照しながら、上述した固定具１１によって温度検出素子９を巻線部７に固定する方法について説明する。図６Ａに固定具１１を巻線部７に取付ける第１の工程を示し、図６Ｂに第２の工程を示している。なお、図６Ａおよび図６Ｂはステータコア６を図１中の矢印Ｄの方向から示した図とする。
まず、電動機の組立作業員もしくは組立装置（不図示）は、図４Ａおよび図４Ｂに示した温度検出素子９の感温部９ａを、図３Ａおよび図３Ｂに示されるように固定具１１の凹部１２内に収容する。続いて、図３Ａおよび図３Ｂに示されるように、温度検出素子９のリード線９ｂを凹部１２内に収容しつつ、穴１４に通して固定具１１の外側に引出す。
次いで、図６Ａおよび図６Ｂから分かるように、ステータコア６と巻線部７との間の隙間Ｅに、温度検出素子９が収容された固定具１１を挿嵌する。このとき、図１および図２に示すように、固定具１１を、隙間Ｅに向かってリード線９ｂが先頭となる向きにし、隙間Ｅにリード線９ｂを通しながら固定具１１を挿入する。固定具１１の一端１１ｂはその挿入方向の後端となっている。
【００３６】
上述したような固定具１１の隙間Ｅへの挿入工程において、固定具１１の凹部１２の深さＢは温度検出素子９の感温部９ａにおける最小の厚みＡよりも小さい。このため、図３Ａおよび図３Ｂに示すように凹部１２内に感温部９ａを収容すると、感温部９ａの外面の一部が固定具１１の一側面１１ａよりも突出している。したがって、図２に示すように固定具１１を隙間Ｅに挿嵌したときに、感温部９ａを巻線部７の内側面に確実に接触させることができる。
【００３７】
なお、本実施形態では、感温部９ａの外面を固定具１１の一側面１１ａよりも突出させるために、従来技術の欄で説明した特開２００３−９２８５８号に記載の方法のようにばね性を有する板状部材が凹部１２の底面１２ａに設けられていない。電動機の小型化および軽量化のために、ステータの一部を樹脂成形により作製することがある。この場合、金型内においてステータコア６の周辺部に高温の樹脂が流れることがあり、その熱によって上記の板状部材が変形することが考えられる。したがって、電動機の一部または全部を樹脂成形により作製する場合には、温度検出素子９の感温部９ａを巻線部７の内側面に確実に接触させられない虞がある。これに対して、本実施形態では上記の板状部材を使用していないので、上述したような虞は生じにくい。
【００３８】
また、固定具１１を隙間Ｅに挿入していくと、固定具１１の一端１１ｂ側に設けられた突起１３が巻線部７の開口縁部に掛かる（図１および図２参照）。このため、固定具１１の挿入工程において、隙間Ｅへの固定具１１の挿入方向に関する固定具１１の位置を一定にできる。さらに、隙間Ｅに固定具１１を挿入している間、凹部１２内において感温部９ａが固定具１１の挿入方向とは反対の方向に移動できないように、感温部９ａの位置は凹部１２の一端面１２ｂにより規制される。このため、凹部１２の一端面１２ｂの位置により、凹部１２内における感温部９ａの位置を決めることができる。
つまり、固定具１１の凹部１２内に収容された温度検出素子９の感温部９ａもまた、隙間Ｅへの固定具１１の挿入方向に関して常に同じ箇所に配置することができる。したがって、固定具１１の挿入工程において、温度検出素子９の感温部９ａを巻線部７の測定を望む箇所に設置することが可能となる。
【００３９】
以上のように、ステータコタ６と巻線部７との間の隙間Ｅに固定具１１を挿嵌するといった単純な工程により、温度検出素子９の感温部９ａを巻線部７の内側面の測定を望む箇所に確実に接触させることができる。このため、巻線部７に大電流を流したとき、巻線部７の測定を望む箇所が発熱して既定の温度を超えたことを迅速に且つ精確に検出できる。
また、温度検出素子９の感温部９ａを巻線部７の内側面に接触させる作業は、上述したように固定具１１の隙間Ｅへの挿入という単純な作業である。このため、人手作業のみならず自動化も可能である。
巻線部７に対する温度検出素子９の位置を調整する必要を生じた場合は、固定具１１を隙間Ｅから押出すまたは抜出して、簡単に温度検出素子９の位置を調整することができる。さらに、温度検出素子９の交換も容易である。
【００４０】
なお、固定具１１はプラスチックやゴム等の絶縁部材から作製されているか、または、表面を絶縁被膜により被覆したものであることが好ましい。
また、上記の実施形態では、温度検出素子９の感温部９ａを巻線部７の内側面に密着させるため、上記の隙間Ｅよりも固定具１１の厚みが大きいことが好ましい。しかし、巻線部７に対する感温部９の密着性を高めるために、以下に示すような他の実施態様を採用することも考えられる。
【００４１】
以下、本発明の他の実施形態について説明する。図７Ａはその他の実施形態の固定具２１の正面図、図７Ｂは図７Ａの態様の側面図、図７Ｃは図７Ａの態様の底面図である。図８はその他の実施形態の固定具の本体２１を巻線部７に取付けた状態を示しており、図２に対応した図である。なお、これらの図において、前述した実施形態の固定具１１と同じ構成要素には同一の符号を用いている。
【００４２】
図７Ａ、図７Ｂ、および図７Ｃに示される実施形態の固定具は、略直方体形状の本体２１を有している。本体２１の一側面２１ａには、温度検出素子９を収容する凹部１２が形成されている。凹部１２は本体２１の一端２１ｂの近傍から他端２１ｃの近傍まで延在している。一側面２１ａからの凹部１２の深さは、前述した実施形態と同じように温度検出素子９の感温部９ａの厚みよりも小さい。このため、凹部１２内に感温部９ａを収容すると、感温部９ａの外面の一部が本体２１の一側面２１ａよりも突出した状態となる。
【００４３】
さらに、本体２１の一側面２１ａから板状の突起１３が一端２１ｂに沿って突出している。この突起１３は、前述した実施形態と同じように固定具の本体２１をステータコア６と巻線部７との間の隙間Ｅに挿入した際に巻線部７の開口縁部に係止する係止部として用いられる。
本体２１の他端２１ｃには、凹部１２の空間に連通する穴１４が形成されている。穴１４は矩形に形成されており、その短手方向の寸法は温度検出素子９の感温部９ａの厚みよりも小さいことが好ましい。これは、凹部１２内に収容された感温部９ａを穴１４から固定具１１の外側へ脱落させないためである。
【００４４】
加えて、図７Ａ、図７Ｂ、および図７Ｃに示すように、本体２１の一側面２１ａと対面する位置に板状部材１５が配置されている。板状部材１５は突起１３から延びるように突起１３と一体的に形成されている。一側面２１ａと板状部材１５との間の隙間は巻線部７の厚みよりも小さいことが好ましい。なお、突起１３および板状部材１５は、固定具の本体２１とは別の部材を使って設けられていてもよい。
【００４５】
以上に説明した他の実施形態では、図８に示すように本体２１をステータコア６と巻線部７との間の隙間Ｅに挿入した際、突起１３が巻線部７の開口縁部に掛かるだけでなく、本体２１の一側面２１ａと板状部材１５とによって巻線部７が挟持される。このため、本体２１の一側面２１ａよりも突出している感温部９ａの外面を巻線部７の内側面に接触させ、且つ、感温部９ａと巻線部７との密着性を高めることができる。勿論、このような効果だけでなく、上述の固定具１１が奏する効果も得られる。
【００４６】
なお、以上では、リニアモータのステータを例にして本発明を説明したが、本発明はこれに限定されず、回転トルクを発生させる電動機のステータにも適用できる。また、本発明の範囲は、本発明の固定具を使用して製造した電動機、および該電動機を備えた工作機も包含する。
以上、本発明の実施形態を示したが、本発明は上述の実施形態に限定されず、本発明の思想を逸脱しない範囲で上述の実施形態を様々な形、構造や材料などに変更可能である。
【符号の説明】
【００４７】
６    凸部（ステータコア）
７    ワイヤ
９    温度検出素子
９ａ    感温部
９ｂ    リード線
１１    固定具
１１ａ    固定具の一側面
１１ｂ    固定具の一端
１１ｃ    固定具の他端
１２    凹部
１２ａ    凹部の底面
１２ｂ    凹部の一端面
１３    突起（係止部）
１４    穴
１５    板状部材
２１    固定具の本体
Ｅ    ステータコアと巻線部との間の隙間
【図１】
0005986245.tif 000002
【図２】
0005986245.tif 000003
【図３Ａ】
0005986245.tif 000004
【図３Ｂ】
0005986245.tif 000005
【図４Ａ】
0005986245.tif 000006
【図４Ｂ】
0005986245.tif 000007
【図５Ａ】
0005986245.tif 000008
【図５Ｂ】
0005986245.tif 000009
【図５Ｃ】
0005986245.tif 000010
【図５Ｄ】
0005986245.tif 000011
【図６Ａ】
0005986245.tif 000012
【図６Ｂ】
0005986245.tif 000013
【図７Ａ】
0005986245.tif 000014
【図７Ｂ】
0005986245.tif 000015
【図７Ｃ】
0005986245.tif 000016
【図８】
0005986245.tif 000017
【図９】
0005986245.tif 000018
【図１０Ａ】
0005986245.tif 000019
【図１０Ｂ】
0005986245.tif 000020
【図１１】
0005986245.tif 000021